(57)【特許請求の範囲】
【請求項１】
第１の無線通信手段を備え、購入した商品又は利用したサービスに対して前記第１の無線通信手段を介して電子決済を行う電子決済機能と、商品購入又はサービス利用の際の一助となるリコメンド情報を生成又は更新して提示するリコメンド情報生成／更新機能とを備えた個人用電子決済端末であって、
第２の無線通信手段を備え、同端末間での情報相互交換として、前記第２の無線通信手段を介して、前記リコメンド情報の生成用又は更新用素材となり得るリコメンド素材情報を相互に交換し合う情報交換機能と、
前記情報交換が双方の端末で完遂できたか否かを判断し、前記情報交換が双方の端末で平等に完遂できたときは、相手端末から受信した前記リコメンド素材情報の取得保持を許可する一方、前記情報交換が少なくとも一方の端末側で完遂できなかったときは、前記相手端末から一方的又は不完全に受信した前記リコメンド素材情報の不平等な取得保持を禁止する情報交換管理機能と、
端末ユーザが購入した商品又は利用したサービスの履歴を示す履歴情報と、前記端末ユーザの趣味や好みを示す趣好情報とを格納する記憶部と、
該記憶部から読み出された前記履歴情報及び前記趣好情報とに基づいて、情報交換の際に、相手端末へ渡す第１の前記リコメンド素材情報を生成するための交換用情報生成機能と、
前記履歴情報及び前記趣好情報と、前記情報交換によって前記相手端末から取得した第２の前記リコメンド素材情報とを比較分析して、前記端末ユーザの趣好に適合した前記リコメンド情報を生成又は更新して提示する前記リコメンド情報生成／更新機能とを備えてなることを特徴とする個人用電子決済端末。
【請求項２】
第１の無線通信手段を備え、購入した商品又は利用したサービスに対して前記第１の無線通信手段を介して電子決済を行う電子決済機能と、サービスコンピュータから、商品購入又はサービス利用の際の一助となるリコメンド情報の提供を受けるリコメンド情報受信機能とを備える個人用電子決済端末であって、
第２の無線通信手段を備え、同端末間での情報相互交換として、前記第２の無線通信手段を介して、前記リコメンド情報の生成用又は更新用素材となり得るリコメンド素材情報を相互に交換し合う情報交換機能と、
前記情報交換が双方の端末で完遂できたか否かを判断し、前記情報交換が双方の端末で平等に完遂できたときは、相手端末から受信した前記リコメンド素材情報の取得保持を許可する一方、前記情報交換が少なくとも一方の端末側で完遂できなかったときは、前記相手端末から一方的又は不完全に受信した前記リコメンド素材情報の不平等な取得保持を禁止する情報交換管理機能と、
前記サービスコンピュータに、必要な情報として、端末ユーザが購入した商品又は利用したサービスに関する情報、端末ユーザの趣味や好みを示す趣好情報、及び前記情報交換によって前記相手端末から取得した第２の前記リコメンド素材情報を提供して、端末ユーザの趣好に適合した前記リコメンド情報の生成又は更新、及び相手端末へ渡す第１の前記リコメンド素材情報の生成を依頼する情報生成依頼機能とを備えてなることを特徴とする個人用電子決済端末。
【請求項３】
前記情報交換管理機能は、前記情報交換の際、前記相手端末から「受信完了通知」を受信しなかったときは、前記相手端末から一方的又は不完全に受信した前記リコメンド素材情報の不平等な取得保持を禁止することを特徴とする請求項１又は２記載の個人用電子決済端末。
【請求項４】
前記情報交換管理機能は、前記情報交換が、少なくとも一方の端末側で完遂できなかったときは、前記リコメンド素材情報を強制的に破棄する情報破棄機能からなることを特徴とする請求項１又は２記載の個人用電子決済端末。
【請求項５】
携帯用の個人用電子決済端末であって、
前記第１の無線通信手段は、極近距離でのデータ通信を行うための非接触無線通信手段からなると共に、前記第２の無線通信手段は、近距離での無線通信を行うための近距離無線通信手段からなる特徴とする請求項１又は２記載の個人用電子決済端末。
【請求項６】
前記電子決済機能は、個人情報を必要としない電子マネーで前記電子決済を行うと共に、必要に応じて、端末内部に前記電子マネーをチャージできる機能を備えてなることを特徴とする請求項１又は２記載の個人用電子決済端末。
【請求項７】
前記電子決済機能は、インターネット上のオンライン商店にアクセスして、該オンライン商店にて購入した商品又は利用したサービスに対して前記電子決済を行う機能を備えてなることを特徴とする請求項１又は２記載の個人用電子決済端末。
【請求項８】
請求項２記載の個人用電子決済端末にリコメンド情報を提供する前記サービスコンピュータであって、
前記個人用電子決済端末の前記情報生成依頼機能から提供を受けた前記必要な情報を元に、端末ユーザが購入した商品又は利用したサービスの履歴を示す履歴情報及び前記端末ユーザの趣味や好みを示す趣好情報を記憶部に格納し、該記憶部に格納されている端末ユーザの前記履歴情報及び前記趣好情報に基づいて、相手端末へ渡す第１の前記リコメンド素材情報を生成し、前記履歴情報及び前記趣好情報と、前記情報交換によって前記相手端末から取得した第２の前記リコメンド素材情報とを比較分析して、前記端末ユーザの趣好に適合した前記リコメンド情報を生成又は更新することを特徴とするリコメンド情報提供サービスコンピュータ。
【請求項９】
複数の個人端末間で行われる情報交換により取得されるリコメンド素材情報を利用して、商品購入又はサービス利用の際の一助となるリコメンド情報を生成又は更新して提示するリコメンド情報生成システムであって、
前記個人端末が、
第１の無線通信手段を備え、購入した商品又は利用したサービスに対して前記第１の無線通信手段を介して電子決済を行う電子決済機能と、
第２の無線通信手段を備え、同個人端末間での情報相互交換として、前記第２の無線通信手段を介して、前記リコメンド情報の生成用又は更新用素材となり得る前記リコメンド素材情報を相互に交換し合う情報交換機能と、
前記情報交換が双方の端末で完遂できたか否かを判断し、前記情報交換が双方の端末で平等に完遂できたときは、相手端末から受信した前記リコメンド素材情報の取得保持を許可する一方、前記情報交換が少なくとも一方の端末側で完遂できなかったときは、前記相手端末から一方的又は不完全に受信した前記リコメンド素材情報の不平等な取得保持を禁止する情報交換管理機能と、
端末ユーザが購入した商品又は利用したサービスの履歴を示す履歴情報と、前記端末ユーザの趣味や好みを示す趣好情報とを格納する記憶部と、
該記憶部から読み出された前記履歴情報及び前記趣好情報とに基づいて、情報交換の際に、相手端末へ渡す第１の前記リコメンド素材情報を生成するための交換用情報生成機能と、
該記憶部から読み出された前記履歴情報及び前記趣好情報と、前記情報交換によって前記相手端末から取得した第２の前記リコメンド素材情報とを比較分析して、前記端末ユーザの趣好に適合した前記リコメンド情報を生成又は更新して提示するリコメンド情報生成／更新機能とを備えてなることを特徴とするリコメンド情報生成システム。
【請求項１０】
複数の個人端末間で行われる情報交換により取得されるリコメンド素材情報をサービスコンピュータに提供して、該サービスコンピュータに商品購入又はサービス利用の際の一助となるリコメンド情報を生成又は更新してもらうリコメンド情報生成システムであって、
前記個人端末は、
第１の無線通信手段を備え、購入した商品又は利用したサービスに対して前記第１の無線通信手段を介して電子決済を行う電子決済機能と、
第２の無線通信手段を備え、同個人端末間での情報相互交換として、前記第２の無線通信手段を介して、前記リコメンド情報の生成用又は更新用素材となり得る前記リコメンド素材情報を相互に交換し合う情報交換機能と、
前記情報交換が双方の端末で完遂できたか否かを判断し、前記情報交換が双方の端末で平等に完遂できたときは、相手端末から受信した前記リコメンド素材情報の取得保持を許可する一方、前記情報交換が少なくとも一方の端末側で完遂できなかったときは、前記相手端末から一方的又は不完全に受信した前記リコメンド素材情報の不平等な取得保持を禁止する情報交換管理機能と、
前記サービスコンピュータに、必要な情報として、端末ユーザが購入した商品又は利用したサービスに関する情報、端末ユーザの趣味や好みを示す趣好情報、及び前記情報交換によって前記相手端末から取得した第２の前記リコメンド素材情報を提供して、端末ユーザの趣好に適合した前記リコメンド情報の生成又は更新、及び相手端末へ渡す第１の前記リコメンド素材情報の生成を依頼する情報生成依頼機能とを備えてなり、かつ、
前記サービスコンピュータは、
前記個人端末の前記情報生成依頼機能から提供を受けた前記必要な情報を元に、端末ユーザが購入した商品又は利用したサービスの履歴を示す履歴情報及び前記端末ユーザの趣味や好みを示す趣好情報を記憶部に格納し、該記憶部に格納されている端末ユーザの前記履歴情報及び前記趣好情報に基づいて、相手端末へ渡す第１の前記リコメンド素材情報を生成し、前記履歴情報及び前記趣好情報と、前記情報交換によって前記相手端末から取得した第２の前記リコメンド素材情報とを比較分析して、前記端末ユーザの趣好に適合した前記リコメンド情報を生成又は更新することを特徴とするリコメンド情報生成システム。
【請求項１１】
前記情報交換管理機能は、前記情報交換の際、前記相手端末から「受信完了通知」を受信しなかったときは、前記相手端末から一方的又は不完全に受信した前記リコメンド関連情報の不平等な取得保持を禁止することを特徴とする請求項９又は１０記載のリコメンド情報生成システム。
【請求項１２】
前記情報交換管理機能は、前記情報交換が少なくとも一方の端末側で完遂できなかったときは、前記リコメンド関連情報を強制的に破棄する情報破棄機能からなることを特徴とする請求項９又は１０記載のリコメンド情報生成システム。
【請求項１３】
前記個人端末は、携帯用の個人用電子決済端末であって、
前記第１の無線通信手段は、極近距離でのデータ通信を行うための非接触無線通信手段からなると共に、前記第２の無線通信手段は、近距離での無線通信を行うための近距離無線通信手段からなる特徴とする請求項９又は１０記載のリコメンド情報生成システム。
【請求項１４】
前記電子決済機能は、個人情報を必要としない電子マネーで前記電子決済を行うと共に、必要に応じて、端末内部に前記電子マネーをチャージできる機能を備えてなることを特徴とする請求項９又は１０記載のリコメンド情報生成システム。
【請求項１５】
前記電子決済機能は、インターネット上のオンライン商店にアクセスして、該オンライン商店にて購入した商品又は利用したサービスに対して前記電子決済を行う機能を備えてなることを特徴とする請求項９又は１０記載のリコメンド情報生成システム。
【請求項１６】
複数の個人端末間で行われる情報交換により取得されるリコメンド素材情報を利用して、商品購入又はサービス利用の際の一助となるリコメンド情報を生成又は更新して提示するリコメンド情報生成方法であって、
前記個人端末の制御部に、
購入した商品又は利用したサービスに対して前記第１の無線通信手段を介して電子決済を行う電子決済処理と、
同個人端末間での情報相互交換として、前記第２の無線通信手段を介して、前記リコメンド情報の生成用又は更新用素材となり得る前記リコメンド素材情報を相互に交換し合う情報交換処理と、
前記情報交換が双方の端末で完遂できたか否かを判断し、前記情報交換が双方の端末で平等に完遂できたときは、相手端末から受信した前記リコメンド素材情報の取得保持を許可する一方、前記情報交換が少なくとも一方の端末側で完遂できなかったときは、前記相手端末から一方的又は不完全に受信した前記リコメンド素材情報の不平等な取得保持を禁止する情報交換管理処理と、
端末ユーザが購入した商品又は利用したサービスの履歴を示す履歴情報と、前記端末ユーザの趣味や好みを示す趣好情報とを格納する記憶部と、
該記憶部から読み出された前記履歴情報及び前記趣好情報とに基づいて、情報交換の際に、相手端末へ渡す第１の前記リコメンド素材情報を生成するための交換用情報生成処理と、
該記憶部から読み出された前記履歴情報及び前記趣好情報と、前記情報交換によって前記相手端末から取得した第２の前記リコメンド素材情報とを比較分析して、前記端末ユーザの趣好に適合した前記リコメンド情報を生成又は更新して提示するリコメンド情報生成／更新処理とを実行させることを特徴とするリコメンド情報生成方法。
【請求項１７】
複数の個人端末間で行われる情報交換により取得されるリコメンド素材情報をサービスコンピュータに提供して、該サービスコンピュータに商品購入又はサービス利用の際の一助となるリコメンド情報を生成又は更新してもらうリコメンド情報生成方法であって、
前記個人端末の制御部に、
購入した商品又は利用したサービスに対して前記第１の無線通信手段を介して電子決済を行う電子決済処理と、
同個人端末間での情報相互交換として、前記第２の無線通信手段を介して、前記リコメンド情報の生成用又は更新用素材となり得る前記リコメンド素材情報を相互に交換し合う情報交換処理と、
前記情報交換が双方の端末で完遂できたか否かを判断し、前記情報交換が双方の端末で平等に完遂できたときは、相手端末から受信した前記リコメンド素材情報の取得保持を許可する一方、前記情報交換が少なくとも一方の端末側で完遂できなかったときは、前記相手端末から一方的又は不完全に受信した前記リコメンド素材情報の不平等な取得保持を禁止する情報交換管理処理と、
前記サービスコンピュータに、必要な情報として、端末ユーザが購入した商品又は利用したサービスに関する情報、端末ユーザの趣味や好みを示す趣好情報、及び前記情報交換によって前記相手端末から取得した第２の前記リコメンド素材情報を提供して、端末ユーザの趣好に適合した前記リコメンド情報の生成又は更新、及び相手端末へ渡す第１の前記リコメンド素材情報の生成を依頼する情報生成依頼処理とを実行させ、かつ、
前記サービスコンピュータに、
前記個人端末の前記情報生成依頼処理によって提供を受けた前記必要な情報を元に、端末ユーザが購入した商品又は利用したサービスの履歴を示す履歴情報及び前記端末ユーザの趣味や好みを示す趣好情報を記憶部に格納させ、該記憶部に格納されている端末ユーザの前記履歴情報及び前記趣好情報に基づいて、相手端末へ渡す第１の前記リコメンド素材情報を生成させ、前記履歴情報及び前記趣好情報と、前記情報交換によって前記相手端末から取得した第２の前記リコメンド素材情報とを比較分析させて、前記端末ユーザの趣好に適合した前記リコメンド情報を生成又は更新させることを特徴とするリコメンド情報生成方法。
【請求項１８】
前記情報交換管理処理では、前記情報交換の際、前記相手端末から「受信完了通知」を受信しなかったときは、前記相手端末から一方的又は不完全に受信した前記リコメンド関連情報の不平等な取得保持取得保持を禁止することを特徴とする請求項１６又は１７記載のリコメンド情報生成方法。
【請求項１９】
前記情報交換管理処理では、前記情報交換が少なくとも一方の端末側で完遂できなかったときは、前記リコメンド関連情報を強制的に破棄することを特徴とする請求項１６又は１７記載のリコメンド情報生成方法。
【請求項２０】
コンピュータに、請求項１６乃至１９のうちの何れか一つに記載のリコメンド情報生成方法の各処理を実行させることを特徴とするリコメンド情報生成プログラム。
【発明の詳細な説明】
【技術分野】
【０００１】
この発明は、商品又はサービスについて個人の趣好に適合する最新のリコメンド情報を、幅広い情報源に根ざして、自動的に生成することができる個人用電子決済端末、リコメンド情報提供サービスコンピュータ、同端末を用いるリコメンド情報生成システム、同生成方法及び同生成プログラムに関する。
【背景技術】
【０００２】
従来から、商品購入の促進を図る手段として、顧客（個人）の過去の商品購入履歴を利用するリコメンドシステムがある。しかしながら、このリコメンドシステムは、商店毎に独自に構築されて、保有されるため、個人が、各商店からリコメンド情報を受け取るには、商店毎に事前に登録申請をしておく必要があるので、煩雑である。しかも、このシステムから得られるリコメンド情報は、登録を行った特定の商店が取扱う商品群に限られるので、幅広い情報源に根ざすリコメンド情報が得られない、という不都合がある。
【０００３】
また、電子掲示板や商品レビューウェブサイト等を活用することで、個人が自分の趣好に合った商品情報を取得する方法がある。しかしながら、この方法だと、商店から、受動的にリコメンド情報を入手できる上述のリコメンドシステムとは異なり、個人がサービスコンピュータに対して能動的に情報収集のための操作を行わねばならず、商品情報を入手しようとするたびに検索に手間がかかるので、多忙な個人やコンピュータ操作に不慣れな個人にとっては、大変煩雑であり、不便である。
【０００４】
さらに、インターネットにおけるＲＳＳ（RDF (Resource Description Framework) Site Summary）等のシステムを利用して、自らの趣好に合う商店ウェブサイトや商品紹介ウェブサイト等の最新情報を入手する方法もある。しかし、ウェブサイト毎に登録処理を行う必要があるので煩雑であり、しかも、この方法によっても、得られる情報は、登録済みウェブサイトの最新情報に限定された狭小なものであり、幅広い情報源に根ざした最新情報は得られない、という不都合がある。加えて、このＲＳＳ等のシステムには、個人毎に、趣好に適合する商品情報を自動的に生成して通知するリコメンドシステムとしての機能はない。
【０００５】
ところで、商店やメーカにとって、顧客（個人）間での口コミは多大の宣伝機能があると認識されている。この種の口コミは、従来から、生身の人間同士の会話や、インターネット上での活動（電子掲示板、日記サイト、レビューサイト等）によって行われている。このような口コミは、商品に関する話題が発生するという偶発性に依存しているため、口コミの宣伝機能を高めるには、通常の宣伝行為自体の規模を大きくして話題性を高めるようにするのが良いが、そすれば、宣伝コストが増大する、という経済上の不都合がある。
【０００６】
このような口コミの宣伝機能を最大限に利用して、宣伝コストの増大を抑えるようにした商品購入促進システムとしては、特許文献１に記載のリコメンド（コミュニケーション）システムが知られている。
特許文献１記載のリコメンドシステムでは、複数のクライアント装置が、ネットワークを介してサーバ装置に接続されていて、このサーバ装置は、オンラインショッピングサイトが販売する商品に関する商品情報を格納し、第１のユーザから、上記商品情報に記載されている商品群のうち、所望の商品を推薦するためのリコメンド依頼を受信すると、受信したリコメンド依頼に基づいて、第２のユーザに対して、第１のユーザが上記商品を勧めている旨を通知にする構成となっている。
【０００７】
このシステム構成によれば、簡易な操作により、商品のリコメンド情報（推薦文）を多数の者に対して効率的に送信することができるので、個人が広告媒体かつ個人商店として容易に活躍することができる。
しかしながら、特許文献１記載のリコメンドシステムでは、リコメンド情報のやり取りが、サーバ装置に格納されている商品情報に基づいて実行されるので、リコメンド情報がやり取りされるユーザの集合は、オンラインショッピングサイトのユーザ、及びサーバ装置が所持するユーザ情報に関連するユーザの範囲に限定される、という問題がある。すなわち、特許文献１記載のリコメンドシステムによっても、幅広い情報源に根ざすリコメンド情報が得られない、という従来からの不都合が残存する。
【０００８】
特許文献２には、携帯端末の位置周辺で販売されている商品やサービスの値段等に関する最新の地域情報を、情報発信を行うサーバ装置を設けることなく、携帯端末が収集することができる情報共有システムが提案されている。
特許文献２記載の情報共有システムでは、各携帯端末は、記憶装置に保存している電子決済情報をBluetoothのような近距離無線通信を介して、端末間で、交換することにより、サーバやアクセスポイントを設けることなく、現在位置周辺の商品やサービスの値段等に関する最新の地域情報を収集して共有化することができる。
【特許文献１】特開２００２−２３０４１１号公報
【特許文献２】特開２００３−２８１４３７号公報
【発明の開示】
【発明が解決しようとする課題】
【０００９】
しかしながら、特許文献２の情報共有システムでは、自端末の情報を相手には提供せずに、一方的に相手端末の情報だけを取得しようとする不心得な通信が蔓延る畏れが内在する。このような情報交換の一方通行、あるいは、不平等な情報交換が蔓延ると、情報の交換・拡散が停滞するので、商店やメーカにとって期待通りの宣伝効果を得ることができず、また、個人ユーザにとっても、情報の共有化が停滞するので、幅広い情報源に根ざすリコメンド情報を得る、というシステムの本来的機能が阻害されるので、好ましくない。
【００１０】
この発明は、上述の事情に鑑みてなされたもので、（リコメンド関連情報を含む）リコメンド素材情報についての情報交換の一方通行や不平等の発生を防止することで、最新のリコメンド関連情報の交換・拡散・共有化の促進を図ることができ、もって、幅広い情報源を確保でき、それゆえ、個人の趣好に適合する最新のリコメンド情報の自動生成を実現できる個人用電子決済端末、リコメンド情報提供サービスコンピュータ、同端末を用いるリコメンド情報生成システム、同生成方法及び同生成プログラムを提供することを目的としている。
【課題を解決するための手段】
【００１１】
上記課題を解決するために、この発明の第１の構成は、第１の無線通信手段を備え、購入した商品又は利用したサービスに対して前記第１の無線通信手段を介して電子決済を行う電子決済機能と、商品購入又はサービス利用の際の一助となるリコメンド情報を生成又は更新して提示するリコメンド情報生成／更新機能とを備えた個人用電子決済端末に係り、第２の無線通信手段を備え、同端末間での情報相互交換として、前記第２の無線通信手段を介して、前記リコメンド情報の生成用又は更新用素材となり得るリコメンド素材情報を相互に交換し合う情報交換機能と、前記情報交換が双方の端末で完遂できたか否かを判断し、前記情報交換が双方の端末で平等に完遂できたときは、相手端末から受信した前記リコメンド素材情報の取得保持を許可する一方、前記情報交換が少なくとも一方の端末側で完遂できなかったときは、前記相手端末から一方的又は不完全に受信した前記リコメンド素材情報の不平等な取得保持を禁止する情報交換管理機能と、端末ユーザが購入した商品又は利用したサービスの履歴を示す履歴情報と、前記端末ユーザの趣味や好みを示す趣好情報とを格納する記憶部と、該記憶部から読み出された前記履歴情報及び前記趣好情報とに基づいて、情報交換の際に、相手端末へ渡す第１の前記リコメンド素材情報を生成するための交換用情報生成機能と、前記履歴情報及び前記趣好情報と、前記情報交換によって前記相手端末から取得した第２の前記リコメンド素材情報とを比較分析して、前記端末ユーザの趣好に適合した前記リコメンド情報を生成又は更新して提示する前記リコメンド情報生成／更新機能とを備えてなることを特徴としている。
また、この発明の第２の構成は、第１の無線通信手段を備え、購入した商品又は利用したサービスに対して前記第１の無線通信手段を介して電子決済を行う電子決済機能と、サービスコンピュータから、商品購入又はサービス利用の際の一助となるリコメンド情報の提供を受けるリコメンド情報受信機能とを備える個人用電子決済端末に係り、第２の無線通信手段を備え、同端末間での情報相互交換として、前記第２の無線通信手段を介して、前記リコメンド情報の生成用又は更新用素材となり得るリコメンド素材情報を相互に交換し合う情報交換機能と、前記情報交換が双方の端末で完遂できたか否かを判断し、前記情報交換が双方の端末で平等に完遂できたときは、相手端末から受信した前記リコメンド素材情報の取得保持を許可する一方、前記情報交換が少なくとも一方の端末側で完遂できなかったときは、前記相手端末から一方的又は不完全に受信した前記リコメンド素材情報の不平等な取得保持を禁止する情報交換管理機能と、前記サービスコンピュータに、必要な情報として、端末ユーザが購入した商品又は利用したサービスに関する情報、端末ユーザの趣味や好みを示す趣好情報、及び前記情報交換によって前記相手端末から取得した第２の前記リコメンド素材情報を提供して、端末ユーザの趣好に適合した前記リコメンド情報の生成又は更新、及び相手端末へ渡す第１の前記リコメンド素材情報の生成を依頼する情報生成依頼機能とを備えてなることを特徴としている。
【００１２】
また、この発明の第３の構成は、複数の個人端末間で行われる情報交換により取得されるリコメンド素材情報を利用して、商品購入又はサービス利用の際の一助となるリコメンド情報を生成又は更新して提示するリコメンド情報生成システムに係り、前記個人端末が、第１の無線通信手段を備え、購入した商品又は利用したサービスに対して前記第１の無線通信手段を介して電子決済を行う電子決済機能と、第２の無線通信手段を備え、同個人端末間での情報相互交換として、前記第２の無線通信手段を介して、前記リコメンド情報の生成用又は更新用素材となり得る前記リコメンド素材情報を相互に交換し合う情報交換機能と、前記情報交換が双方の端末で完遂できたか否かを判断し、前記情報交換が双方の端末で平等に完遂できたときは、相手端末から受信した前記リコメンド素材情報の取得保持を許可する一方、前記情報交換が少なくとも一方の端末側で完遂できなかったときは、前記相手端末から一方的又は不完全に受信した前記リコメンド素材情報の不平等な取得保持を禁止する情報交換管理機能と、端末ユーザが購入した商品又は利用したサービスの履歴を示す履歴情報と、前記端末ユーザの趣味や好みを示す趣好情報とを格納する記憶部と、該記憶部から読み出された前記履歴情報及び前記趣好情報とに基づいて、情報交換の際に、相手端末へ渡す第１の前記リコメンド素材情報を生成するための交換用情報生成機能と、該記憶部から読み出された前記履歴情報及び前記趣好情報と、前記情報交換によって前記相手端末から取得した第２の前記リコメンド素材情報とを比較分析して、前記端末ユーザの趣好に適合した前記リコメンド情報を生成又は更新して提示するリコメンド情報生成／更新機能とを備えてなることを特徴としている。
また、この発明の第４の構成は、複数の個人端末間で行われる情報交換により取得されるリコメンド素材情報をサービスコンピュータに提供して、該サービスコンピュータに商品購入又はサービス利用の際の一助となるリコメンド情報を生成又は更新してもらうリコメンド情報生成システムに係り、前記個人端末が、第１の無線通信手段を備え、購入した商品又は利用したサービスに対して前記第１の無線通信手段を介して電子決済を行う電子決済機能と、第２の無線通信手段を備え、同個人端末間での情報相互交換として、前記第２の無線通信手段を介して、前記リコメンド情報の生成用又は更新用素材となり得る前記リコメンド素材情報を相互に交換し合う情報交換機能と、前記情報交換が双方の端末で完遂できたか否かを判断し、前記情報交換が双方の端末で平等に完遂できたときは、相手端末から受信した前記リコメンド素材情報の取得保持を許可する一方、前記情報交換が少なくとも一方の端末側で完遂できなかったときは、前記相手端末から一方的又は不完全に受信した前記リコメンド素材情報の不平等な取得保持を禁止する情報交換管理機能と、前記サービスコンピュータに、必要な情報として、端末ユーザが購入した商品又は利用したサービスに関する情報、端末ユーザの趣味や好みを示す趣好情報、及び前記情報交換によって前記相手端末から取得した第２の前記リコメンド素材情報を提供して、端末ユーザの趣好に適合した前記リコメンド情報の生成又は更新、及び相手端末へ渡す第１の前記リコメンド素材情報の生成を依頼する情報生成依頼機能とを備えてなり、かつ、前記サービスコンピュータは、前記個人端末の前記情報生成依頼機能から提供を受けた前記必要な情報を元に、端末ユーザが購入した商品又は利用したサービスの履歴を示す履歴情報及び前記端末ユーザの趣味や好みを示す趣好情報を記憶部に格納し、該記憶部に格納されている端末ユーザの前記履歴情報及び前記趣好情報に基づいて、相手端末へ渡す第１の前記リコメンド素材情報を生成し、前記履歴情報及び前記趣好情報と、前記情報交換によって前記相手端末から取得した第２の前記リコメンド素材情報とを比較分析して、前記端末ユーザの趣好に適合した前記リコメンド情報を生成又は更新することを特徴としている。
【００１３】
また、この発明の第５の構成は、複数の個人端末間で行われる情報交換により取得されるリコメンド素材情報を利用して、商品購入又はサービス利用の際の一助となるリコメンド情報を生成又は更新して提示するリコメンド情報生成方法に係り、前記個人端末の制御部に、購入した商品又は利用したサービスに対して前記第１の無線通信手段を介して電子決済を行う電子決済処理と、同個人端末間での情報相互交換として、前記第２の無線通信手段を介して、前記リコメンド情報の生成用又は更新用素材となり得る前記リコメンド素材情報を相互に交換し合う情報交換処理と、前記情報交換が双方の端末で完遂できたか否かを判断し、前記情報交換が双方の端末で平等に完遂できたときは、相手端末から受信した前記リコメンド素材情報の取得保持を許可する一方、前記情報交換が少なくとも一方の端末側で完遂できなかったときは、前記相手端末から一方的又は不完全に受信した前記リコメンド素材情報の不平等な取得保持を禁止する情報交換管理処理と、端末ユーザが購入した商品又は利用したサービスの履歴を示す履歴情報と、前記端末ユーザの趣味や好みを示す趣好情報とを格納する記憶部と、該記憶部から読み出された前記履歴情報及び前記趣好情報とに基づいて、情報交換の際に、相手端末へ渡す第１の前記リコメンド素材情報を生成するための交換用情報生成処理と、該記憶部から読み出された前記履歴情報及び前記趣好情報と、前記情報交換によって前記相手端末から取得した第２の前記リコメンド素材情報とを比較分析して、前記端末ユーザの趣好に適合した前記リコメンド情報を生成又は更新して提示するリコメンド情報生成／更新処理とを実行させることを特徴としている。
また、この発明の第６の構成は、複数の個人端末間で行われる情報交換により取得されるリコメンド素材情報をサービスコンピュータに提供して、該サービスコンピュータに商品購入又はサービス利用の際の一助となるリコメンド情報を生成又は更新してもらうリコメンド情報生成方法に係り、前記個人端末の制御部に、購入した商品又は利用したサービスに対して前記第１の無線通信手段を介して電子決済を行う電子決済処理と、同個人端末間での情報相互交換として、前記第２の無線通信手段を介して、前記リコメンド情報の生成用又は更新用素材となり得る前記リコメンド素材情報を相互に交換し合う情報交換処理と、前記情報交換が双方の端末で完遂できたか否かを判断し、前記情報交換が双方の端末で平等に完遂できたときは、相手端末から受信した前記リコメンド素材情報の取得保持を許可する一方、前記情報交換が少なくとも一方の端末側で完遂できなかったときは、前記相手端末から一方的又は不完全に受信した前記リコメンド素材情報の不平等な取得保持を禁止する情報交換管理処理と、前記サービスコンピュータに、必要な情報として、端末ユーザが購入した商品又は利用したサービスに関する情報、端末ユーザの趣味や好みを示す趣好情報、及び前記情報交換によって前記相手端末から取得した第２の前記リコメンド素材情報を提供して、端末ユーザの趣好に適合した前記リコメンド情報の生成又は更新、及び相手端末へ渡す第１の前記リコメンド素材情報の生成を依頼する情報生成依頼処理とを実行させ、かつ、前記サービスコンピュータに、前記個人端末の前記情報生成依頼処理によって提供を受けた前記必要な情報を元に、端末ユーザが購入した商品又は利用したサービスの履歴を示す履歴情報及び前記端末ユーザの趣味や好みを示す趣好情報を記憶部に格納させ、該記憶部に格納されている端末ユーザの前記履歴情報及び前記趣好情報に基づいて、相手端末へ渡す第１の前記リコメンド素材情報を生成させ、前記履歴情報及び前記趣好情報と、前記情報交換によって前記相手端末から取得した第２の前記リコメンド素材情報とを比較分析させて、前記端末ユーザの趣好に適合した前記リコメンド情報を生成又は更新させることを特徴としている。
【発明の効果】
【００１４】
この発明の構成によれば、情報交換が双方の端末で完遂できたか否かを判断し、情報交換が双方の端末で完遂できたときは、相手端末から受信したリコメンド素材情報の取得保持を許可する一方、上記情報交換が少なくとも一方の端末側で完遂できなかったときは、上記相手端末から一方的又は不完全に受信したリコメンド素材情報の取得保持を禁止する機能を実現しているので、（リコメンド関連情報を含む）リコメンド素材情報についての情報交換の一方通行や不平等な情報交換の発生を防止することができる。
【００１５】
それゆえ、有用で最新のリコメンド素材情報の交換・拡散・共有化の促進を図ることができ、もって、特定ユーザや特定商店や特定商品群の枠に縛られない幅広い情報源を、手間をかけずに、確保できる。したがって、幅広い情報源から収集した情報を元に、個人の趣好に適合する有用で最新の（新規な）リコメンド情報の自動生成を実現できる。また、商店や製品メーカ等にとっても、宣伝コストの増大を招くことなく、宣伝効果を増大できる。
【発明を実施するための最良の形態】
【００１６】
まず、この発明の実施形態の概要について説明する。
この発明の実施形態は、非接触通信手段（第１の無線通信手段）を備え、購入した商品又は利用したサービスに対して非接触通信手段を介して電子決済を行う電子決済機能と、商品購入又はサービス利用の際の一助となるリコメンド情報１５を生成又は更新して提示するリコメンド情報生成／更新機能とを備えた個人用電子決済端末１、２、…に係り、情報交換管理機能と、記憶部と、交換用情報生成機能と、リコメンド情報生成／更新機能とを備えている。
【００１７】
上記情報交換管理機能は、近距離無線通信手段（第２の無線通信手段）を備え、同端末１、２間での情報交換として、近距離無線通信手段を介して、リコメンド情報１５の生成用又は更新用素材となり得る交換用情報（リコメンド素材情報）１６を交換する。上記情報交換管理機能は、上記情報交換が双方の端末で完遂できたか否かを判断し、上記情報交換が双方の端末で完遂できたときは、相手端末から受信した交換用情報１６の取得保持を許可する一方、上記情報交換が少なくとも一方の端末側で完遂できなかったときは、上記相手端末から一方的又は不完全に受信した交換用情報１６の取得保持を禁止する。
【００１８】
また、上記記憶部は、端末ユーザが購入した商品又は利用したサービスの履歴を示す購入履歴情報１２と、上記端末ユーザの趣味や好みを示す趣好情報１３とを格納する。また、上記交換用情報生成機能は、該記憶部から読み出された購入履歴情報１２及び趣好情報１３とに基づいて、情報交換の際に、相手端末へ渡す第１の交換用情報１６を生成する。リコメンド情報生成／更新機能は、購入履歴情報１２及び趣好情報１３と、上記情報交換によって上記相手端末から取得した第２の交換用情報１６とを比較分析して、端末ユーザの趣好に適合したリコメンド情報１５を生成又は更新して提示する。
【００１９】
この実施形態の構成によれば、交換用情報１６について、情報交換の一方通行や不平等な情報交換の発生を防止することができる。
それゆえ、情報の交換・拡散・共有化の促進を図ることができるので、特定ユーザや特定商店や特定商品群の枠に縛られない幅広い情報源を、手間をかけずに、確保できる。したがって、幅広い情報源から収集した情報を元に、端末ユーザの趣好に適合する有用で最新の（新規な）リコメンド情報、例えば、端末ユーザの行動範囲との関連性が強いリコメンド情報を自動的に生成することができる。また、商店や製品メーカ等にとっても、宣伝コストの増大を招くことなく、宣伝効果を増大できる。
なお、リコメンド素材情報には、商店等が発行する広告情報が含まれても良く、また、売出し中の商品やサービスに限らず、発売予定の商品や新しいサービス等も含まれて良い。
【実施形態１】
【００２０】
以下、図面を参照して、この発明の実施形態について詳細に説明する。
図１は、この発明の第１の実施形態であるリコメンド情報生成システムの全体的構成と利用経路を示す概念図、図２は、同リコメンド情報生成システムの電気的構成を示すブロック図、図３は、同リコメンド情報生成システムを構成する個人端末の記憶内容及び情報生成動作を示すブロック図、また、図４乃至図７は、同リコメンド情報生成システムを構成する個人端末の動作処理手順を示すフローチャートである。
【００２１】
この実施形態のシステムは、図１に示すように、複数の個人端末１、２、…間で行われる情報交換により取得される交換用情報（リコメンド素材情報）を利用して、商品購入又はサービス利用の際の一助となるリコメンド情報を生成又は更新して提示するリコメンド情報生成システムであって、交換用情報（リコメンド素材情報）の交換拡散システムでもある。
【００２２】
まず、このシステムの全体的構成を具体的に説明する。
このシステムは、図１及び図２に示すように、電子決済機能を備える複数の個人端末１、２、３、…と、商店２０、３０、…が保持し、主に店舗内に設置される決済端末２１、３１、…及び電算機２２、３２、…と、金融機関に設置される電算機４０と、仕入れ元に設置される電算機５０、６０とから概略構成されている。
【００２３】
各個人端末１、２、…は、他の個人端末２、１、…との間で近距離無線通信Ｋを行うための図示せぬ近距離無線通信手段と、商店２０、３０、…の決済端末２１、３１、…との間で非接触のデータ通信を行うための図示せぬ非接触通信手段と、電子決済用の金融機関アカウント情報を格納するアカウント記憶領域と商品等の購入履歴情報を格納する購入履歴情報記憶領域等の各種記憶領域（詳細は後述する）からなる図示せぬ記憶部と、各種設定や決済の承認等を行うための図示せぬ操作部と、装置各部を制御する図示せぬ制御部とを備えている。ここで、商品等の購入履歴情報には、商品の購入履歴情報の他、サービスの利用履歴情報も含まれる。
【００２４】
近距離無線通信手段Ｋは、数メートルから数十メートル程度の比較的近距離でのデータ通信を実現できるBluetoorh無線通信装置や、数メートルから数百メートル程度（あるいはそれ以上）のデータ通信を実現できるＷＬＡＮ（Wireless Local Area Network、無線ＬＡＮ）無線通信装置等から構成されている。なお、各個人端末１、２、…は、上記した電子決済機能を備える携帯電話やＰＤＡ(Personal Digital Assistant)やノートパソコン等であっても良い。
【００２５】
上記非接触通信手段は、極近距離（数ミリメートルから数センチメートル程度）で、商店２０、３０、…の決済端末２１、３１、…とデータ通信を行うための、例えば、ＲＦＩＤ(Radio Frequency Identification；無線周波数識別)アンテナとＩＣチップとを内蔵する、例えば、ＦｅｌｉＣａカード（登録商標）等のＲＦＩＤタグから構成されている。
【００２６】
商店２０、３０、…の決済端末２１、３１、…は、個人が電子決済を行う際に、個人端末１、２、…側の非接触通信手段と非接触のデータ通信を行って電子決済手続きを完了させるための非接触通信装置として、例えば、ＲＦＩＤアンテナ及びコントローラからなるリーダ／ライタ装置を備えている。電子決済手続きのための通信は、個人端末１、２、…側の非接触通信手段を、数ミリメートルから数センチメートル程度の極近距離まで、決済端末２１、３１、…側のリーダ／ライタ装置（非接触通信装置）に近づけてかざすことで行われる。
【００２７】
商店２０、３０、…の電算機２２、３２、…は、各商店２０、３０、…に関するデータ（商店データ）を格納する商店データ記憶領域と、各商店２０、３０、…が扱う商品に関するデータ（商品データ）を格納する商品データ記憶領域とを有する図示せぬ記憶部を備えている。
ここで、商店データや商品データは、商店２０、３０、…の金融機関情報、在庫情報及び売上情報等から構成されている。電算機２２、３２、…は、電子決済時には、決済端末２１、３１、…及び金融機関の電算機４０と、無線又は有線で通信路を確立して、決済手続きの電算処理を完了させる構成となっている。
【００２８】
金融機関の電算機４０は、商店２０、３０、…の決済端末２１、３１、…と電算機２２、３２、…とを経由して、個人端末１、２、…から取得された金融機関アカウントを参照して、個人及び個人の金融口座情報等を特定して、金融手続き（電子決済）処理を実施する。
【００２９】
仕入元の電算機５０、６０、…には、商店２０、３０、…から見た仕入れ元が管理する電算機で、仕入れ元が扱う各種商品に関する商品データが保持されている。ここで、仕入れ元には、商品を実際に製造した製造業メーカは勿論のこと、食品製品の生産元や、商店２０、３０、…に商品を卸す卸業者等も含まれる。仕入元の電算機５０、６０、…は、商店２０、３０、…の電算機２２、３２、…と有線又は無線接続による、あるいは物理メディアの配送による情報通信路を持ち、商店２０、３０、…に納入されて商店の店頭に並ぶことになる商品に関する商品データを商店２０、３０、…の電算機２２、３２、…に提供する。
【００３０】
次に、図３を参照して、個人端末１、２、…が、記憶部の各種記憶領域に保持する情報について詳細に説明する。
各個人端末１、２、…の記憶部には、図３に示すように、個人電子決済用の金融機関アカウント情報１１と、商品等の購入履歴情報１２及びユーザの趣好情報１３からなるリコメンド元情報１４と、購入推薦商品に関するリコメンド情報１５と、リコメンド情報等の交換用情報１６と、個人を特定するための個人情報１７とを格納する各種記憶領域が設けられている。
【００３１】
金融機関アカウント情報１１は、特定の商店での専用利用のために発行される特定商店限定のアカウント情報ではなく、個人ユーザの金銭、例えば、銀行口座やクレジットカード、電子マネー口座等の金融資産口座に関する情報である。ユーザは、個人端末１、２、…を利用して、金融機関アカウント情報１１として記録されたアカウント記述形式に対応した電子決済システムを導入している商店２０、３０、…と電子決済を行うことができる。また、単一の個人端末１、２、…に複数の金融機関アカウントを関連付けることもでき、ユーザは、個人端末１、２、…を操作することで、複数の金融機関アカウントの中から、利用する1つのアカウントを任意に選択することもできる。
【００３２】
購入履歴情報１２は、ユーザが、個人端末１、２、…の電子決済機能を利用して、過去に購入した商品等の履歴に関する情報であり、例えば、図３に示すように、ユーザが利用した商店（商店情報）、購入した商品、購入した日時及び購入した場所（商品情報、日時情報、場所情報）等の項目からなっている。ここで、商店情報には、利用商店の商店名と商店評価情報とが含まれている。商品情報には、購入商品の商品名と商品評価情報とが含まれている。また、場所情報には、キーワードとＧＰＳ情報とが含まれている。なお、購入した商品には、利用したサービス等も含まれる。
【００３３】
趣好情報１３は、個人端末１、２、…を所持している個人ユーザの趣好（趣味や好み）を示す情報であり、個人端末１のユーザによって明示的に設定される項目と、購入履歴情報１２に基づいて、自動的に生成される情報とから構成されている。
【００３４】
リコメンド元情報１４は、次述するリコメンド情報１５及び交換用情報１６の生成に用いられる素材情報であり、上記したように、購入履歴情報１２と趣好情報１３とから構成されている。なお、リコメンド元情報１４や交換用情報１６には、商店等が発行する広告情報が含まれても良く、また、売出し中の商品やサービスに限らず、発売予定の商品や新しいサービス等も含まれて良い。
【００３５】
リコメンド情報１５は、個人端末１、２、…の各制御部が、購入履歴情報１２と趣好情報１３とからなるリコメンド元情報１４を分析して自動的に作成され、最終的に、個人端末１、２、…のユーザに、購入を勧めたい商品を示す商品推薦情報として提示される（表示部に表示される）。
【００３６】
交換用情報１６は、他の個人端末２、３０、…との自動近距離通信により自動交換されるデータであって、リコメンド元情報１４（購入履歴情報１２と趣好情報１３）に基づいて生成される。ここで、他の個人端末２、３０、…との間で、自動交換通信時に、交換用情報１６の自動交換が瞬時に完了できるようにするために、交換用情報１６のデータ量を、リコメンド元情報１４のそれよりも小さく抑えるのが好ましく、例えば、リコメンド元情報１４の中で、特に重要度（優先度）の高い情報のみを選別して、交換用情報１６としても良い。
【００３７】
個人情報１７は、例えば、図３に示すように、個人端末１、２、…を所有するユーザの氏名、住所、生年月日、電話番号、メールアドレス、年齢、及び性別等から構成されている。
【００３８】
なお、この実施形態では、交換用情報１６の中に、個人情報１７をはじめとして個人を特定できる情報が含まれないようにしている。それゆえ、例えば、個人端末１と個人端末２との間で、自動近距離通信による、交換用情報１６の自動交換が行われても（図１及び図２）、個人端末１、２のユーザの双方とも、交換用情報１６の自動交換の相手が、誰であるかを認識あるいは特定できないので、個人情報の保護を確保することができる。
【００３９】
次に、図４乃至図７のフローチャートを参照して、この実施形態のリコメンド情報生成システムの動作について詳細に説明する。
まず、図４のフローチャートを参照して、この実施形態のリコメンド情報生成システムを構成する個人端末の各種機能の動作について概説する。
上記構成の個人端末１、２、…は、個人ユーザが商店２０、３０、…にて、電子決済システムを利用して商品を購入する度に、購入履歴を更新する購入履歴更新機能（図４のステップＭ１）と、個人端末１、２、…間で交換用情報１６、１６を自動交換する自動交換通信機能（同ステップＭ２）と、自動交換通信によって相手の個人端末２、１、…から取得した交換用情報１６、１６を用いて、自端末のリコメンド情報１５、１５を生成／更新するリコメンド情報生成／更新機能（同ステップＭ３）とを有している。
【００４０】
個人端末１、２、…では、図４に示すように、当該システムを実現するための処理が開始されると、当該処理が終了（ステップＮ１）されるまで、購入履歴更新機能（ステップＭ１）又は自動交換通信機能（ステップＭ２）の動作が、常時、択一的に繰り返し実行され、一方、リコメンド情報生成／更新機能（ステップＭ３）の動作が、間欠的に繰り返し実行される。
【００４１】
具体的には、図４のフローチャートに示すように、個人ユーザが、個人端末１、２、…を用いて商店２０、３０、…で電子決済を行ったときは（ステップＮ２のＹＥＳ（＝決済時））、制御部は、自動的にステップＭ１へ進み、商品等の購入履歴を更新する購入履歴更新機能を実行する（図５）。
【００４２】
これに対して、個人ユーザが、電子決済を行わないときは（ステップＮ２のＮＯ（＝通常時））、制御部は、自動的にステップＭ２に進み、個人端末１、２、…間で交換用情報１６、１６を自動交換する自動交換通信機能を実行する（図６）。この後、制御部は、適宜、自動的にステップＭ３に進み、自動交換通信によって相手の個人端末２、１、…から取得した交換用情報１６、１６を用いて、自端末のリコメンド情報１５、１５を生成／更新するリコメンド情報生成／更新機能の動作を実行する（図７）。
【００４３】
ここで、ステップＭ２、Ｍ３の処理では、個人端末２、１、…のユーザは基本的に特定の入力操作を求められることはなく、処理動作は自動的に実行される。ステップＭ２からステップＭ３の処理への移行は、ステップＭ２の処理の実行直後に即ステップＭ３の処理に移行するようにしても良いが（ステップＮ３のＮＯ）、ステップＭ２の処理のみの実行を繰り返してある程度情報が溜まってから一括してステップＭ３の処理を実行するようにしても良く（ステップＮ３のＹＥＳ）、ステップＭ３の処理を決められた一定時間おきに実行する（ステップＮ３のＹＥＳ）ようにしても良い。
【００４４】
次に、図５を参照して、個人端末１のユーザが電子決済するときのシステムの動作、及び個人端末１が購入履歴を更新する動作（図４のステップＭ１に示す購入履歴更新機能を実現するための動作）について詳細に説明する。
個人ユーザは、商店２０にて商品を購入すると、代金支払いのために、当該店舗内（決済場所）で、個人端末１（ＲＦＩＤタグ等の非接触通信手段）を使用して、電子決済を行う。具体的には、ユーザが、個人端末１が具備するＲＦＩＤタグ等の非接触通信手段を、極近距離から、決済端末２１が具備するリーダ／ライタ装置等の非接触通信装置にかざすと、個人端末１の制御部は、図５のステップＡ１に進んで、決済端末２１にアクセスする。ここで、商品の購入には、無形のサービスの利用も含まれる。無形のサービスとしては、例えば、料理等の提供、自動車の貸与、整備、電子機器の修理、美術や映画の観賞、教育講習、宿泊、治療等を挙げることができる。
【００４５】
決済端末２１は、リーダ／ライタ装置等の非接触通信装置を介して、個人端末１と接続されると、個人ユーザが購入した商品の情報や金額等を記載した会計データを個人端末１に送信する（ステップＡ２）。
個人端末１は、決済端末２１から会計データを受信すると、会計データは個人端末１の表示部に表示され、個人端末１のユーザは、内容の確認と決済の承認が求められる（ステップＡ３）。ユーザが、個人端末１を操作して、決済の承認を行うと、個人端末１の制御部は、ステップＡ４に進んで、個人ユーザ決済用の金融機関アカウント情報１１を決済端末２１に送信する。
【００４６】
決済端末２１は、個人端末１を通して、ユーザが決済を承認したことを確認すると、当該会計データと、個人ユーザ決済用の金融機関アカウント情報１１とを店舗内の電算機２２に転送する（ステップＡ５、Ａ６）。
店舗内の電算機２２は、決済端末２１から個人ユーザ決済用の金融機関アカウント情報１１を受信すると、受信した金融機関アカウント情報１１が指定する金融機関の電算機４０（図２）にアクセスし、通信路が確立すると、個人ユーザの会計データと商店２０の金融機関データとを含む商店情報と、個人ユーザ決済用の金融機関アカウント情報１１とを送信する（ステップＡ７）。
【００４７】
金融機関の電算機４０は、受信した商店２０の商店情報と個人ユーザ決済用のアカウント情報１１とを検証し（ステップＡ８）、正しいことが確認されると、電子決済処理を実施する（ステップＡ９）。金融機関の電算機４０は、電子決済処理が完了すると、商店２０の電算機２２に完了通知を送信する（ステップＡ１０）。
電算機２２は、金融機関の電算機４０から完了通知を受けると、ステップＡ５において決済端末２１から取得した会計データを元に、電算機２２内に保持されている売上情報や在庫情報等を更新し（ステップＡ１１）、この後、電子決済続きの完了通知を、決済端末２１を経由して、個人端末１に送信する（ステップＡ１２、Ａ１３）。
【００４８】
最後に、個人端末１の制御部は、ステップＡ２において商店２０の決済端末２１から取得した会計データを元に、個人端末１が保持する購入履歴情報１２（図３）に今回の商品購入に関する情報（新規購入情報）を追加して、購入履歴情報１２を更新する（ステップＡ１５）。これにより、図５のフローチャートに示す一連の処理が完了する。
【００４９】
次に、図６を参照して、この形態のシステムにおいて、個人端末１、２、…間で交換用情報１６を自動交換通信する動作（図４のステップＭ２に示す自動交換通信機能を実現するための動作）について詳細に説明する。
この実施形態の個人端末１、２、…は、商品購入に関するリコメンド情報の生成に必要な交換用情報１６、１６（図３）を、個人端末１、２、…間で自動交換するための通信（自動交換通信）を許可するか否かの設定ができる機能を備えている。これは、個人端末を用いて電子決済することは望むものの、リコメンド情報の生成や他の個人端末との自動交換通信は望まないと考える個人にも対応できるようにするために必要な機能である。
【００５０】
しかしながら、この実施形態は、自動交換通信に基づくリコメンド情報の生成を実現するシステムに関するものゆえ、各個人端末１、２では、ユーザによって、個人端末間での自動交換通信を許可する設定がなされている場合について説明する。
【００５１】
個人端末１、２が、自動交換通信モ−ド（ステップＢ１、Ｂ２）に設定されているときは、Bluetoorh無線通信装置やＷＬＡＮ無線通信装置等の近距離無線通信手段Ｋが駆動して、自らの存在を通知する電波を発信しつつ、周辺の個人端末２、１が発する存在通知電波の探索を常時実行する（ステップＢ３、ｂ４）。
【００５２】
個人端末１と個人端末２とが、自動交換通信の通信可能圏内に入ると、個人端末１、２は互いの存在を検出する。ここでは、個人端末２が発している電波を個人端末１が先に探知し、個人端末２の存在を検出したものとする（ステップＢ５）。
個人端末２を先に検出した個人端末１は、個人端末２との通信路を確立すると、通信に必要な自端末情報を個人端末２に対して送信して、リコメンド情報の生成／更新のための情報相互交換を要請する（ステップＢ６）。
個人端末２は、個人端末１から情報相互交換の要請を受信すると、この要請を受諾し、個人端末１にその旨を通知する（ステップＢ７）。
【００５３】
通信路の確立や交換用情報１６、１６の交換のためのネゴシエーションが個人端末１、２間で完了すると（ステップＢ６、ステップＢ７）、個人端末１、２間で交換用情報１６、１６（図３）の送受信が開始される（ステップＢ８、Ｂ９）。ステップＢ８、Ｂ９において、個人端末１及び個人端末２は、所定のプロトコルを用いて交換用情報１６、１６の送受信を実行する。
【００５４】
個人端末１が、個人端末２から送信されてくる交換用情報１６を全て受信し終わると（ステップＢ１０）、個人端末１は、個人端末２に対して受信完了通知を送信する（ステップＢ１２）。同様に、個人端末２が、個人端末１から送信されてくる交換用情報１６を全て受信し終わると（ステップＢ１１）、個人端末２は、個人端末１に対して受信完了通知を送信する（ステップＢ１３）。
【００５５】
個人端末１は、個人端末２に対して交換用情報１６を全て送信し終わると（ステップＢ８）、ステップＢ１４へ進み、個人端末２が発する受信完了通知（ステップＢ１３）を待ち受けする。個人端末２が発する受信完了通知（ステップＢ１３）を受信できたときは（ステップＢ１４）、ステップＢ８、Ｂ９で個人端末２から取得した交換用情報１６、１６を保持する（ステップＢ１５）。この後、個人端末２との自動交換通信処理を終了する。これに対して、何らかの事情により、個人端末２が発する受信完了通知（ステップＢ１３）を受信でなきかったときは（ステップＢ１４で「ＮＯ」のとき）、ステップＢ８、Ｂ９で個人端末２から取得した交換用情報１６、１６を破棄する（ステップＢ１６）。
【００５６】
同様に、個人端末２は、個人端末１に対して交換用情報１６を全て送信し終わると（ステップＢ９）、ステップＢ１７へ進み、個人端末１が発する受信完了通知（ステップＢ１２）を待ち受けする。個人端末１が発する受信完了通知（ステップＢ１２）を受信できたときは（ステップＢ１７）、ステップＢ９、Ｂ８で個人端末１から取得した交換用情報１６、１６を保持する（ステップＢ１８）。この後、個人端末１との自動交換通信処理を終了する。これに対して、何らかの事情により、個人端末１が発する受信完了通知（ステップＢ１２）を受信でなきかったときは（ステップＢ１７で「ＮＯ」のとき）、ステップＢ９、Ｂ８で個人端末１から取得した交換用情報１６、１６を破棄する（ステップＢ１９）。
【００５７】
個人端末１が、ステップＢ１４において、個人端末２からの受信完了通知（ステップＢ１３）を受信でなきない理由としては、個人端末２が、個人端末１から送信されてくる交換用情報１６を正常受信できないため（ステップＢ８、Ｂ９）、受信完了通知（ステップＢ１３）を個人端末１に対して送信できないとき、個人端末２が、個人端末２からの交換用情報１６を正常受信することができたにも拘わらず（ステップＢ８、Ｂ９）、個人端末２上の故障や障害等のため、受信完了通知（ステップＢ１３）を個人端末１に対して送信することができないとき、個人端末２が、受信完了通知（ステップＢ１３）を個人端末１に対して送信できたにも拘わらず、通信障害や個人端末１上の故障や障害等のために受信完了通知（ステップＢ１４）を受信できないとき等を挙げることができる。
個人端末２が、ステップＢ１７において、個人端末１からの受信完了通知（ステップＢ１２）を受信でなきない理由についても、上記と同様である。
【００５８】
この形態の自動交換通信機能（図６のステップＢ１２〜Ｂ１９）構成によれば、リコメンド情報生成のための情報相互交換は、一方の個人端末の一方では完遂できても、個人端末１、２の双方で平等に完遂されなければ、どちらかの個人端末において、取得した交換用情報１６は、不平等に取得したと判断されて、完全に破棄されるので（ステップＢ１６、Ｂ１９）、情報交換の相互性を担保することができる。つまり、例えば、個人端末１が、個人端末２から交換用情報１６を完全に取得できても、相手側の個人端末２が、個人端末１から交換用情報１６を取得できなければ、個人端末１は、個人端末２から交換用情報１６を折角取得しても保持できず、破棄されてしまうことになる。
【００５９】
それゆえ、リコメンド情報生成のための情報相互交換に際して、自端末の情報を相手には提供せずに、一方的に相手端末の情報だけを取得しようとする不心得な通信を防止できる。
もしも、情報交換の相互性が担保されなければ、自端末から相手端末に情報を提供することなく、一方的に相手端末から情報を取得しようとする不心得なアクセスが蔓延る畏れがある。そうなると、システム全体としては、情報交換による交換用情報の円滑な拡散が阻害されるので、商店やメーカ側にとって期待通りの宣伝効果を得ることができず、ひいては、需要の増大を惹起できないので、不満である。また、個人ユーザにとっては、情報の集積化が停滞し、リコメンド情報生成機能の精度が阻害されるので、好ましくない。
なお、この実施形態において、情報交換が少なくとも一方の端末側で完遂できなかったときには、相手端末からリコメンド素材情報を不完全に受信した場合も含まれる。したがって、相手端末からリコメンド素材情報を不完全に受信した場合にも、リコメンド素材情報の取得保持は禁止され、削除される。
【００６０】
次に、図７を参照して、情報相互交換によって他の個人端末から取得した交換用情報を用いて、自端末のリコメンド情報を更新する機能（図４のステップＭ３）の動作について説明する。
図７は、情報相互交換（図６）によって、他の個人端末２から取得した交換用情報１６を用いて、自端末１０のリコメンド情報１５を更新する処理手順を示すフローチャートである。
【００６１】
まず、個人端末１の制御部は、図７に示すように、個人端末１が保持する（購入履歴情報１２と趣好情報１３とからなる）リコメンド元情報１４と、個人端末２から新たに取得した交換用情報Ｃ２０とを比較する（ステップＣ１）。上記制御部は、リコメンド元情報１４を参照して、新たに取得した交換用情報１６から、ユーザ個人の趣好（趣味や好み）に近い情報を、リコメンド情報１５の一部となる可能性のある候補情報Ｃ３０として抽出する（ステップＣ２）。
【００６２】
ここで、リコメンド情報１５を格納する記憶領域に空きがあるときは（ステップＣ３で「ＮＯ」のとき）、候補情報Ｃ３０をリコメンド情報１５に追加し（ステップＣ５）、整形、更新して終了する（ステップＣ７、更新後リコメンド情報Ｃ４１）。
一方、リコメンド情報１５を格納する記憶領域に空きが無いときは（ステップＣ３で「ＹＥＳ」のとき）、現在のリコメンド情報１５と候補情報Ｃ３０を比較し（ステップＣ４）、リコメンド情報１５に残す情報、残さない情報、リコメンド情報１５に加える情報、加えない情報等を算出する（ステップＣ６）。この算出結果を元に、リコメンド情報１５を整形し、更新して、終了する（ステップＣ７）。
【００６３】
この第１の実施形態によれば、個人ユーザがまだ知らない自分の趣好に合った商店や商品を、新規に発見する機会が増大する、という第１の効果を奏することができる。
この理由は次の通りである。
現状では、リコメンド情報は各商店が独自に生成して、登録された個人ユーザに送信するため、個人ユーザが得られるリコメンド情報は、その個人ユーザが利用したことのある商店（リコメンド情報の受け取りを登録した商店）から提供されるものに限定される。
これに対して、この第１の実施形態では、不特定多数の商店や商品を含む、個人ユーザの購入履歴情報を利用する。さらにその情報を個人端末間で自動交換し、双方の購入履歴や趣好情報を元に分析を行ってリコメンド情報を生成するため、個人ユーザがまだ知らない自分好みの商店や商品がリコメンド情報に含まれるようになる。
【００６４】
また、リコメンド情報を個人ユーザが手間をかけずに自動的に得ることができる、という第２の効果を奏することができる。
この理由は、個人ユーザが自動情報交換通信に係わる設定を事前に行っておきさえすれば、他の個人端末の検知や情報交換通信及びリコメンド情報の生成、更新が、常時自動的に実行されるためである。例えば、端末を所持したまま屋外を移動する、人通りのある場所にとどまる等、日常生活の中で端末を所持しているだけで、他の端末ユーザと近い距離に接近する瞬間が訪れるたびに、端末間で自動的に情報交換が行われる。また、そのようにして得た情報を元に、リコメンド情報が自動的に更新されていく。
【００６５】
さらにまた、商店や商品メーカ等、売り手側にとって、口コミと同様な宣伝効果が増大する、という第３の効果を奏することができる。この理由は、第１の効果で述べたように、個人ユーザが自分の趣好にあった商店や商品を新規に発見する機会が増大するためである。
【実施形態２】
【００６６】
次に、図８を参照して、この発明の第２の実施形態であるシステムの部分的構成を示すブロック図である。
第１の実施形態では、図３に示すように、個人端末１の記憶部には、個人電子決済用の金融機関アカウント情報１１と、商品等の購入履歴情報１２及びユーザの趣好情報１３からなるリコメンド元情報１４と、購入推薦商品に関するリコメンド情報１５と、交換用情報１６と、個人を特定するための個人情報１７とを格納する各種記憶領域が設けられている。
【００６７】
これに対して、この形態では、個人端末１の記憶部に代えて、図８に示すように、サービス電算機７０の記憶領域に、個人電子決済用の金融機関アカウント情報１１、商品等の購入履歴情報１２及びユーザの趣好情報１３からなるリコメンド元情報１４、購入推薦商品に関するリコメンド情報１５、交換用情報１６、及び個人を特定するための個人情報１７を格納するようにした点で、上記した第１の実施形態とは著しく相違している。
【００６８】
つまり、この形態においては、個人端末１は、サービス電算機７０にアクセスするために必要な情報を不揮発性の記憶領域に保持し、必要に応じて、サービス電算機７０にアクセスして、上記した各種情報１１、１４（１２、１３）、１５、１６、１７を個人端末１の一時記憶領域にダウンロードする構成となっている。
【００６９】
次に、図５、図６及び図７を参照して、第２の実施形態の動作について詳細に説明する。図５を参照すると、個人端末１に必要なデータはサービス電算機７０に格納してあるため、金融機関アカウント送信（ステップＡ４）より前の時点で、個人端末１はサービス電算機７０にアクセスして、図８の金融機関アカウント１１をダウンロードする。また、図５の購入履歴更新（ステップ１４）時にもサービス電算機７０にアクセスして、図８のサービス電算機７０内にある購入履歴情報に対して更新処理を行う。
【００７０】
図６を参照すると、交換用情報を送受信（ステップＢ８、Ｂ９）するより前の時点で、個人端末１はサービス電算機７０にアクセスして、自端末に対応する交換用情報１６をダウンロードする。
図７を参照すると、リコメンド元情報Ｃ１０（図８では１４）、リコメンド情報Ｃ４０（図８では１５）はサービス電算機７０内にある。個人端末２から得た交換用情報Ｃ２０は、図６の示す自動情報交換通信後に個人端末１からサービス電算機７０にアップロードされ、図７の示す処理は全てサービス電算機７０上で実行する。
【００７１】
この第２の実施形態によれば、各種情報がサービス電算機７０（図８）に保持され、リコメンド情報の生成、更新処理（図７）もサービス電算機７０上で実行される構成のため、小型にならざるを得ない個人端末よりも大型、大容量、ハイパフォーマンスの電算機をサービス電算機７０として採用することができる。
そのため、リコメンド情報の生成、更新に係わる情報分析処理をより詳細なものとする際に、個人端末では耐えられないようなデータ量の増大や計算量の増大が伴っても対応が可能である。
【実施形態３】
【００７２】
次に、図２を参照して、この発明の第３の実施形態であるシステムの部分的構成について詳細に説明する。
この第３の実施形態は、電子商品対応の商品リコメンド情報生成システムに係り、地域情報が存在しないインターネット上のオンライン商店での購入及び購入情報がリコメンド情報生成の素材となる。
個人端末１とオンライン商店（商店２０）の決済端末２１とは、インターネットを介して接続されている。このとき、決済端末２１は、電算機２２と機能を合わせた同一の装置として実現される。
【００７３】
この第３の実施形態においては、図５に示すように、個人端末１と決済端末２１の間で行われる通信（ステップＡ１、Ａ２、Ａ４、Ａ１３）がインターネットを介して行われる。このように、この第３の実施形態によれば、商店がインターネット上のオンライン商店の場合にも対応することができる。
【実施形態４】
【００７４】
次に、図９を参照して、この発明の第４の実施形態であるシステムの部分的構成について詳細に説明する。
この実施形態の個人端末は、携帯クレジット等の電子決済機能に代えて、電子マネー等の電子決済機能を備えている。すなわち、第１乃至第３の実施形態がそうであるように、決済時の支払金の出所をクレジットカードや金融機関の口座に設定して間接的に支払うのではなく、図９に示す電子マネー残高１８のように、金銭を個人端末それ自体の内部にデータとして蓄える構成をとっている。
【００７５】
次に、図５を参照して、第４の実施形態の動作について説明する。
この発明の第４の実施形態では、図５における電算機２２と金融機関電算機４０との間の通信（ステップＡ７乃至Ａ１０）を事後処理にすることができる。ステップＡ５、Ａ６の次にステップＡ１１が実行され、ステップ１４では、個人端末１内の電子マネー残高１８も更新される。電算機２２と金融機関電算機４０との間の通信は、例えば、夜中等の繁忙期でない時間帯に行われる。また、電子マネー残高１８の補充は、ユーザが事前に行っておく。ユーザは個人端末に対応した残高補充用の機器に個人端末を接続し現金を投入する等して残高を補充する。
【００７６】
この第４の実施形態によれば、クレジットカードを持たないユーザや、個人端末の紛失や他人による悪用のリスクに不安を感じ、クレジットカードや金融機関口座等を個人端末に関連付けたくないと考えるユーザにも対応することができる。また、商店の電算機と金融機関電算機との間の通信を、繁忙期でない時間帯に移して行うことで、商店の電算機と金融機関電算機の間の通信網や、金融機関電算機の処理能力にかかる負荷を、時間的に分散させ低減することができる。これにより、売買の活発な日中でも、ユーザが商店の窓口で決済を行う際のターンアラウンドタイムを短縮することができる。
【００７７】
以上、この発明の実施形態及び実施例を図面を参照して詳述してきたが、具体的な構成はこの実施形態及び実施例に限られるものではなく、この発明の要旨を逸脱しない範囲の設計の変更等があってもこの発明に含まれる。例えば、近距離無線通信手段Ｋは、赤外線通信であっても良い。また、第１と第２の個人端末１、２間の交換用情報には、先の情報交換により、他の個人端末（第３、第４、…の個人端末）から取得した交換用情報を含めるようしても良い。このようにすれば、情報の一層の拡散化、共有化を達成できる。
【産業上の利用可能性】
【００７８】
既存の商品に関してリコメンド情報を生成するだけでなく、商店が発行する広告情報を拡散させ、これから発売される商品に関してもリコメンド情報を生成するといった用途にも適用できる。この用途では、個人端末が、購入履歴という過去の情報だけでなく、商店が発行する広告情報という未来の情報を含む情報を商店から受信して保持できるようにする。例えば、広告情報は、ユーザが事前に興味ある商店で広告の定期購読の登録をしておけば良い。個人端末間で情報交換通信が行われる際に広告情報もやりとりすることとすれば、その商店で購読登録を行っていない相手ユーザにも、広告情報を拡散することができる。情報交換通信時に趣好等が一致したユーザは、購読登録していない広告情報でも相手端末から一時的に受け取ることとなり、これから発売される商品や新しいサービス等、鮮度の高い情報をリコメンド情報に含めることができる。商店側にとっては、その商店や商品に興味を持っていそうではあるが広告は購読していないというユーザに対して、間接的に情報を到達させることができ、顧客の新規開拓の一助となる。
【図面の簡単な説明】
【００７９】
【図１】この発明の第１の実施形態であるリコメンド情報生成システムの全体的構成と利用経路を示す概念図である。
【図２】この発明の第１及び第３の実施形態であるリコメンド情報生成システムの電気的構成を示すブロック図である。
【図３】この発明の第１の実施形態であるリコメンド情報生成システム（個人端末）の部分的構成を示すブロック図である。
【図４】この発明の第１の実施形態であるリコメンド情報生成システムを構成する個人端末の動作処理手順の概要を示すフローチャートである。
【図５】この発明の第１乃至第４の実施形態であるリコメンド情報生成システムを構成する個人端末の動作処理手順の詳細、具体的には、個人端末のユーザが電子決済するときのシステムの動作処理、及び個人端末が購入履歴を更新する動作手順を示すフローチャートである。
【図６】この発明の第１及び第２の実施形態であるリコメンド情報生成システムを構成する個人端末の動作処理手順の詳細、具体的には、個人端末間で交換用情報を自動交換通信する際の動作処理手順を示すフローチャートである。
【図７】この発明の第１及び第２の実施形態であるリコメンド情報生成システムを構成する個人端末の動作処理手順の詳細、具体的には、自端末のリコメンド情報を作成／更新する動作処理手順を示すフローチャートである。
【図８】この発明の第２の実施形態であるリコメンド情報生成システムの部分的構成を示すブロック図である。
【図９】この発明の第４の実施形態であるリコメンド情報生成システムの部分的構成を示すブロック図である。
【符号の説明】
【００８０】
１、２、…        個人端末（個人用電子決済端末）
１５        リコメンド情報
１６        交換用情報（リコメンド素材情報）
１２        購入履歴情報（履歴情報）
１３        趣好情報、
１５        リコメンド情報
１６        交換用情報（リコメンド素材情報）
７０        サービス電算機（サービスコンピュータ、リコメンド情報提供サービスコンピュータ）
【図１】
0005338109.tif 000002
【図２】
0005338109.tif 000003
【図３】
0005338109.tif 000004
【図４】
0005338109.tif 000005
【図５】
0005338109.tif 000006
【図６】
0005338109.tif 000007
【図７】
0005338109.tif 000008
【図８】
0005338109.tif 000009
【図９】
0005338109.tif 000010